(57)【要約】【課題】カードがシートから分離される前の状態において、カードに表示された第１のコードを視認不可能としながらもシートに表示された第２のコードを視認可能な状態とすることができるとともに、第１のコードと第２のコードとのマッチングミスを回避することができ、かつ、カードをシートから不正に分離しにくくする。【解決手段】上紙１１及び下紙１２からなるカード台紙が表面片２１と裏面片２２とに挟み込まれて貼着され、カード台紙は、カード２が、分離可能に区画形成されるとともに裏面片２２と剥離可能に貼着され、カード２の裏面片２２との貼着面にＰＩＮコード４ａが表示され、裏面片２２との貼着面にＰＯＳコード４ｂが表示され、裏面片２２のＰＯＳコード４ｂと対向する領域に孔部３ｂが設けられ、表面片２１に開封用のミシン目２４が形成されている。【選択図】図２
2014191565.tif 000002
【特許請求の範囲】
【請求項１】
第１のシートと第２のシートとが貼着され、互いに対応づけられた第１及び第２のコードが表示され、前記第１のシートにカードが含まれるカード組み込みユニットであって、
前記第１のシートの前記第２のシートとの貼着面とは反対側の面に前記カードを覆って貼着された第３のシートを有し、
前記第１のシートは、前記カードが、分離可能に区画形成されるとともに前記第２のシートと剥離可能に貼着され、前記カードの前記第２のシートとの貼着面に前記第１のコードが表示され、前記第２のシートとの貼着面に前記第２のコードが表示され、
前記第２のシートは、前記第２のコードと対向する領域に孔部を有し、
前記第３のシート、前記第１及び第２のシート、または前記第１及び第３のシートに、前記カードを表出させるための開封構造が備えられているカード組み込みユニット。
【請求項２】
請求項１に記載のカード組み込みユニットにおいて、
前記第３のシートは、前記第２のシートと折り部を介して連接し、前記第２のシートと前記第３のシートとが、前記折り部にて折り畳まれることによって前記第１のシートを挟み込み、
前記第３のシートは、前記折り部とは反対側の辺に沿う領域にて前記第１のシートと貼着され、
前記開封構造は、前記第３のシートの前記第１のシートと貼着されていない領域に形成された切り離し線であるカード組み込みユニット。
【請求項３】
請求項１に記載のカード組み込みユニットにおいて、
前記第３のシートは、前記第２のシートと折り部を介して連接し、前記第２のシートと前記第３のシートとが、前記折り部にて折り畳まれることによって前記第１のシートを挟み込み、
前記第３のシートは、前記折り部とは反対側の辺に沿う領域にて前記第１のシートと貼着され、
前記開封構造は、前記第１のシートの前記第３のシートと貼着されていない領域及び前記第２のシートの当該領域に対向する領域に形成された切り離し線であるカード組み込みユニット。
【請求項４】
請求項１に記載のカード組み込みユニットにおいて、
前記第３のシートは、１辺に沿う領域にて前記第１のシートまたは前記第２のシートと貼着されるとともに、前記１辺に対向する領域にて前記第１のシートと貼着され、
前記開封構造は、前記第３のシートの前記第１のシートと貼着されていない領域に形成された切り離し線であるカード組み込みユニット。
【請求項５】
請求項１に記載のカード組み込みユニットにおいて、
前記第３のシートは、１辺に沿う領域にて前記第１のシートまたは前記第２のシートと貼着されるとともに、前記１辺に対向する領域にて前記第１のシートと貼着され、
前記開封構造は、前記第１のシートの前記第３のシートと貼着されていない領域及び前記第２のシートの当該領域に対向する領域に形成された切り離し線であるカード組み込みユニット。
【請求項６】
請求項１に記載のカード組み込みユニットにおいて、
前記開封構造は、前記第１のシートと前記第３のシートとが剥離可能に貼着されることによって構成されるカード組み込みユニット。
【発明の詳細な説明】
【技術分野】
【０００１】
本発明は、コンピュータネットワーク上の電子店舗にて提供されるサービスの利用代金を、電子取引用プリペイドカードを用いて決済するシステムに用いられる、カード組み込みユニットに関する。
【背景技術】
【０００２】
近年、コンピュータネットワーク上の電子店舗における買物を、プリペイドカードを用いて利用可能とするシステムが実用化されており、例えば、特許文献１に開示されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる。
【０００３】
ここで、上述したようなプリペイドカードを用いたシステムにおいては、ＩＤの不正使用が懸念される。そこで、不正使用を防止するために、プリペイドカードに表示されたＰＩＮコード上にスクラッチ層を設ける技術が考えられており、例えば、特許文献２に開示されている。この技術を用いれば、プリペイドカードが購入される前の状態においては、ＰＩＮコードが隠蔽されていることにより、ＰＩＮコードを用いた不正使用されることが回避される。
【０００４】
ところで、上述したプリペイドカードは、実店舗にて販売される際、台紙に分離可能に一体化して保持されることが好ましい。ここで、台紙上にカードを剥離可能に貼着し、この台紙にカード番号を表示する技術が、例えば、特許文献３に開示されている。この技術を用いれば、カードに対応する情報が表示された台紙にカードを分離可能に保持することができる。
【先行技術文献】
【特許文献】
【０００５】
【特許文献１】特開平１１−２０３５６０号公報
【特許文献２】特表２０１０−５３１０２１号公報
【特許文献３】特開平１１−１１０４９４号公報
【発明の概要】
【発明が解決しようとする課題】
【０００６】
しかしながら、特許文献３に開示されたもののように、カードに対応する情報が表示された台紙に、カードが剥離可能に貼着された状態では、カードに表示されたＰＩＮコード等の識別コードが隠蔽されておらず、識別コードを隠蔽するためには、特許文献２に開示されたもののように識別コード上にスクラッチ層を設けるか、あるいは、カードの台紙との貼着面に識別コードを表示する必要があるが、カードに表示される識別コードと、台紙に表示されるこれに対応するコードとを別々に印刷した場合、これらのコードのマッチングミスが生じる虞れがある。また、カードの台紙との貼着面に識別コードを表示した場合、カードが台紙から不正に剥離されて識別コードが不正利用されてしまう虞れもある。
【０００７】
本発明は、上述したような従来の技術が有する問題点に鑑みてなされたものであって、カードがシートから分離される前の状態において、カードに表示された第１のコードを視認不可能としながらもシートに表示された第２のコードを視認可能な状態とすることができるとともに、第１のコードと第２のコードとのマッチングミスを回避することができ、かつ、カードをシートから不正に分離しにくくすることができるカード組み込みユニットを提供することを目的とする。
【課題を解決するための手段】
【０００８】
上記目的を達成するために本発明は、
第１のシートと第２のシートとが貼着され、互いに対応づけられた第１及び第２のコードが表示され、前記第１のシートにカードが含まれるカード組み込みユニットであって、
前記第１のシートの前記第２のシートとの貼着面とは反対側の面に前記カードを覆って貼着された第３のシートを有し、
前記第１のシートは、前記カードが、分離可能に区画形成されるとともに前記第２のシートと剥離可能に貼着され、前記カードの前記第２のシートとの貼着面に前記第１のコードが表示され、前記第２のシートとの貼着面に前記第２のコードが表示され、
前記第２のシートは、前記第２のコードと対向する領域に孔部を有し、
前記第３のシート、前記第１及び第２のシート、または前記第１及び第３のシートに、前記カードを表出させるための開封構造が備えられているカード組み込みユニット。
【０００９】
上記のように構成された本発明においては、第１のシートからカードが分離されていない状態においては、カードが第２のシートに貼着されているため、カードの第２のシートとの貼着面に表示された第１のコードが視認不可能な状態となっている。また、第２のコードは、第１のシートの第２のシートとの貼着面に表示されているが、第２のシートの第２のコードに対向する領域に孔部が設けられているため、この孔部を介して視認可能な状態となっている。また、第１のシートの第２のシートとの貼着面とは反対側の面に貼着された第３のシートによってカードが覆われていることにより、カードが第１のシートから分離しにくくなっている。その後、第３のシート、第１及び第２のシート、または第１及び第３のシートに備えられた開封構造によってこのカード組み込みユニットが開封されると、カードが表出し、表出したカードが第１のシートから分離されると、カードの第２のシートとの貼着面に表示された第１のコードが視認可能な状態となる。ここで、第１のコードと第２のコードとは、共に第１のシートの第２のシートとの貼着面に表示されているため、これらが同時に印字されることとなり、マッチングミスが回避される。
【００１０】
このような構成としては、例えば、
前記第３のシートは、前記第２のシートと折り部を介して連接し、前記第２のシートと前記第３のシートとが、前記折り部にて折り畳まれることによって前記第１のシートを挟み込み、
前記第３のシートは、前記折り部とは反対側の辺に沿う領域にて前記第１のシートと貼着され、
前記開封構造は、前記第３のシートの前記第１のシートと貼着されていない領域に形成された切り離し線であるものが考えられる。
【００１１】
また、前記第３のシートは、前記第２のシートと折り部を介して連接し、前記第２のシートと前記第３のシートとが、前記折り部にて折り畳まれることによって前記第１のシートを挟み込み、
前記第３のシートは、前記折り部とは反対側の辺に沿う領域にて前記第１のシートと貼着され、
前記開封構造は、前記第１のシートの前記第３のシートと貼着されていない領域及び前記第２のシートの当該領域に対向する領域に形成された切り離し線であるものも考えられる。
【００１２】
また、前記第３のシートは、１辺に沿う領域にて前記第１のシートまたは前記第２のシートと貼着されるとともに、前記１辺に対向する領域にて前記第１のシートと貼着され、
前記開封構造は、前記第３のシートの前記第１のシートと貼着されていない領域に形成された切り離し線であるものも考えられる。
【００１３】
また、前記第３のシートは、１辺に沿う領域にて前記第１のシートまたは前記第２のシートと貼着されるとともに、前記１辺に対向する領域にて前記第１のシートと貼着され、
前記開封構造は、前記第１のシートの前記第３のシートと貼着されていない領域及び前記第２のシートの当該領域に対向する領域に形成された切り離し線であるものも考えられる。
【００１４】
さらには、前記開封構造は、前記第１のシートと前記第３のシートとが剥離可能に貼着されることによって構成されるものも考えられる。
【発明の効果】
【００１５】
本発明によれば、カードに表示される第１のコードと、カードを分離可能に保持する第１のシートに表示される第２のコードとが、共に第１のシートの第２のシートとの貼着面に表示されており、第１のシートからカードが分離されていない状態において第２のシートに設けられた孔部を介して第２のコードが視認可能となるため、カードがシートから分離される前の状態において、カードに表示された第１のコードを視認不可能としながらもシートに表示された第２のコードを視認可能な状態とすることができるとともに、第１のコードと第２のコードとのマッチングミスを回避することができる。また、第３のシート、第１及び第２のシート、または第１及び第３のシートに備えられた開封構造によってこのカード組み込みユニットが開封されなければカードが表出しないため、カードをシートから不正に分離しにくくすることができる。
【図面の簡単な説明】
【００１６】
【図１】本発明のカード組み込みユニットの第１の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【図２】図１に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙を見開いた内側の面を示す図、（ｆ）は支持台紙を見開いた外側の面を示す図である。
【図３】図１及び図２に示したカード組み込みユニットの製造方法を説明するための図である。
【図４】図１及び図２に示したカード組み込みユニットが使用される環境を示す図である。
【図５】図４に示した環境における図１及び図２に示したカード組み込みユニットの使用方法を説明するためのフローチャートである。
【図６】図１及び図２に示したカード組み込みユニットの使用状態を示す図である。
【図７】本発明のカード組み込みユニットの第２の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【図８】図７に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙を見開いた内側の面を示す図、（ｆ）は支持台紙を見開いた外側の面を示す図である。
【図９】図７及び図８に示したカード組み込みユニットの使用状態を示す図である。
【図１０】本発明のカード組み込みユニットの第３の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【図１１】図１０に示したカード組み込みユニットの分解図であり、（ａ）は上紙の表面図、（ｂ）は上紙の裏面図、（ｃ）は下紙の表面図、（ｄ）は下紙の裏面図、（ｅ）は表面片の表面図、（ｆ）は表面片の裏面図、（ｇ）は裏面片の表面図、（ｈ）は裏面片の裏面図である。
【図１２】図１０及び図１１に示したカード組み込みユニットの使用状態を示す図である。
【図１３】本発明のカード組み込みユニットの第４の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【図１４】図１３に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙を見開いた内側の面を示す図、（ｆ）は支持台紙を見開いた外側の面を示す図である。
【図１５】図１３及び図１４に示したカード組み込みユニットの使用状態を示す図である。
【図１６】本発明のカード組み込みユニットの第５の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【図１７】図１６に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙を見開いた内側の面を示す図、（ｆ）は支持台紙を見開いた外側の面を示す図である。
【図１８】図１６及び図１７に示したカード組み込みユニットの使用状態を示す図である。
【発明を実施するための形態】
【００１７】
以下に、本発明の実施の形態について図面を参照して説明する。
【００１８】
（第１の実施の形態）
図１は、本発明のカード組み込みユニットの第１の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。
【００１９】
本形態のカード組み込みユニット１は図１に示すように、その外形が同一となる上紙１１と下紙１２とが重ね合わされて互いに貼着されてなる第１のシートとなるカード台紙１０が、折り畳まれた支持台紙２０に挟み込まれて構成されている。支持台紙２０は、第３のシートとなる表面片２１と、第２のシートとなる裏面片２２とが折り部２３を介して折り畳み可能に連接しており、折り部２３にて折り畳まれた状態で表面片２１と裏面片２２とによって、表面片２１側が上紙１１となるようにカード台紙１０を挟み込んでいる。
【００２０】
表面片２１及び裏面片２２は、連接方向の長さがカード台紙１０よりも長く、折り部２３とは反対側の端辺がカード台紙１０の端辺と揃うように、カード台紙１０を挟み込んでいる。また、表面片２１及び裏面片２２には、カード台紙１０に対向しない領域に、表裏貫通した孔部３ａが形成されている。
【００２１】
表面片２１には、折り部２３とは反対側の端辺に沿ってミシン目２４が形成されており、表面片２１は、このミシン目２４よりも折り部２３とは反対側にて粘着剤５０によって上紙１１と貼着されている。このミシン目２４が、カード組み込みユニット１を開封するための開封構造となり、これにより、表面片２１には、カード組み込みユニット１を開封するための開封構造が備えられていることになる。上紙１１と下紙１２とは粘着剤５０によって貼着され、下紙１２と裏面片２２とは、擬似接着剤４０及び剥離ニス３０によって剥離可能に貼着されている。
【００２２】
カード台紙１０には、スリット５が形成され、このスリット５によってカード２が分離可能に区画形成されている。裏面片２２には、表裏貫通した孔部３ｂが設けられており、下紙１２に表示されたＰＯＳコード４ｂが孔部３ｂから表出して視認可能となっている。また、表面片２１には、通知情報２５ａが表示されている。
【００２３】
以下に、上述した上紙１１、下紙１２及び支持台紙２０の詳細な構成、並びに貼着構造について説明する。
【００２４】
図２は、図１に示したカード組み込みユニット１の分解図であり、（ａ）は上紙１１の表面図、（ｂ）は上紙１１の裏面図、（ｃ）は下紙１２の表面図、（ｄ）は下紙１２の裏面図、（ｅ）は支持台紙２０を見開いた内側の面を示す図、（ｆ）は支持台紙２０を見開いた外側の面を示す図である。
【００２５】
図２（ａ）〜（ｄ）に示すように、上紙１１及び下紙１２からなるカード台紙１０にはスリット５が形成されており、それにより、カード２が分離可能に区画形成されている。
【００２６】
上紙１１の裏面、すなわち下紙１２との貼着面には、図２（ｂ）に示すように、その全面に粘着剤５０が塗布されており、また、下紙１１の表面、すなわち上紙１１との貼着面には、図２（ｃ）に示すように、その全面に粘着剤５０が塗布されており、上紙１１と下紙１２とがこの粘着剤５０によって貼着されている。
【００２７】
下紙１２の裏面、すなわち支持台紙２０との貼着面には、図２（ｄ）に示すように、第１のコードとなるＰＩＮコード４ａと、第２のコードとなるＰＯＳコード４ｂとが表示されている。これらＰＩＮコード４ａとＰＯＳコード４ｂとは、後述するが互いに対応づけられたものとなっている。ＰＩＮコード４ａはカード５の裏面片２２との貼着面に表示されており、ＰＯＳコード４ｂは、カード５以外の領域の裏面片２２との貼着面にバーコードによって表示されている。また、下紙１２の裏面片２２との貼着面には、カード５及びカード５以外の領域のそれぞれに、スリット５に沿って一定の幅を有して剥離ニス３０が塗布されている。なお、下紙１２の裏面に剥離ニス３０を塗布した後にＰＩＮコード４ａを印字できるように、剥離ニス３０に囲まれた領域は少なくともＰＩＮコード４ａを印字する領域よりも広いことが好ましい。
【００２８】
支持台紙２０は、図２（ｅ），（ｆ）に示すように表面片２１と裏面片２２とが折り部２３を介して折り畳み可能に連接しており、カード台紙１０を挟み込んで折り畳まれた状態にてカード台紙１０に対向しない領域に、表裏貫通した孔部３ａが形成されている。
【００２９】
表面片２１には、折り部２３とは反対側の端辺に沿ってミシン目２４が形成されているとともに、ミシン目２４よりも折り部２３とは反対側の領域に粘着剤５０が塗布されており、表面片２１の上紙１１との貼着面のうち、ミシン目２４よりも折り部２３側の領域に通知情報２５ａが表示されている。
【００３０】
裏面片２２には、表裏貫通した孔部３ｂが設けられている。この孔部３ｂは、支持台紙２０によってカード台紙１０を挟み込んで裏面片２２が下紙１２と貼着された場合にＰＯＳコード４ｂと対向する領域に設けられている。裏面片２２の下紙１２との貼着面には、裏面片２２が下紙１２と貼着された場合にカード５と対向する領域に通知情報２５ｂが表示されているとともに、下紙１２の剥離ニス３０に囲まれた領域に対向する領域を除く全面に擬似接着剤４０が塗布されている。
【００３１】
以下に、上記のように構成されたカード組み込みユニット１の製造方法について説明する。
【００３２】
図３は、図１及び図２に示したカード組み込みユニット１の製造方法を説明するための図である。
【００３３】
図３は、図１及び図２に示したカード組み込みユニット１の製造方法を説明するための図であり、（ａ）は製造工程全体を示す図、（ｂ）は（ａ）に示した折り畳み部８２における折り畳み工程を示す図である。
【００３４】
図１及び図２に示したカード組み込みユニット１は、図３に示すように、上紙１１と下紙１２と支持台紙２０とがそれぞれ連続状となって供給され、互いに貼着された後に単片状に断裁されることによって製造される。
【００３５】
上紙１１、下紙１２及び支持台紙２０のそれぞれは、図３（ａ）に示すように、連続状となってローラ６０ａ〜６０ｃから引き出され、ＰＩＮコード４ａやＰＯＳコード４ｂ、通知情報２５ａ，２５ｂ等が印字され、また、上紙１１においては下紙１２との貼着面に粘着剤５０が塗布され、下紙１２においては、上紙１１との貼着面に粘着剤５０が塗布されるとともに、支持台紙２０との貼着面に剥離ニス３０が塗布され、支持台紙２０においては、表面片２１の上紙１１との貼着面に粘着剤５０が塗布されるとともに、裏面片２２の下紙１２との貼着面に擬似接着剤４０が塗布され、また、孔部３ａが形成され、これら上紙１１、下紙１２及び支持台紙２０が互いに重ね合わされてカット部８１ａに搬送されていく。この状態においては、支持台紙２０はまだ折り畳まれていない。
【００３６】
この際、ＰＩＮコード４ａとＰＯＳコード４ｂとは、互いに対応づけられたものであるが、共に下紙１２の裏面片２２との貼着面に同時に印字されるため、これらのマッチングミスを回避することができる。
【００３７】
ここで、カード２に情報を印字する場合にはカード台紙１０がプリンタ内を湾曲しながら搬送されることになるため、カード台紙１０が厚い場合、カード台紙１０を搬送しにくくなってしまい正確な印字が行われなくなる虞れがある。ところが、カード２としては、ある程度の厚さが必要である。そこで、カード台紙１０を上紙１１と下紙１２とに分けておき、これら上紙１１と下紙１２のそれぞれに情報が印字された後、上紙１１と下紙１２とを貼着してカード台紙１０を構成することにより、正確な印字を行いながらもカード２としてある程度の厚さを確保することができる。
【００３８】
上紙１１、下紙１２及び支持台紙２０が重ね合わされた状態でカット部８１ａに搬送されると、カット部８１ａにおいて、上紙１１及び下紙１２にスリット５が形成される。
【００３９】
カット部８１ａにて上紙１１及び下紙１２にスリット５が形成された後、上紙１１、下紙１２及び支持台紙２０はカット部８１ｂに搬送され、カット部８１ｂにおいて表面片２１のみが単片状に断裁される。
【００４０】
カット部８１ｂにて表面片２１が単片状に断裁された後、上紙１１、下紙１２及び支持台紙２０は折り畳み部８２に搬送される。
【００４１】
折り畳み部８２においては、図３（ｂ）に示すように、単片状に断裁された表面片２１が折り部２２を介して上紙１１に対向するように１つずつ折り畳まれる。このように、表面片２１を単片状に断裁した後、単片状となった表面片２１を１つずつ折り畳むことにより、支持台紙２０を折り畳んだ際に表面片２１に皺が生じてしまうことを回避できるようになる。またこの際、表面片２１と裏面片２２のそれぞれに形成された孔部３ａの位置合わせを行う必要があるが、表面片２１及び裏面片２２の連接方向の長さがカード台紙１０よりも長くなっており、孔部３ａがカード台紙１０には形成されていないため、表面片２１と裏面片２２のみの位置合わせをするだけで孔部３ａの位置合わせを容易に行うことができる。
【００４２】
表面片２１が１つずつ折り畳まれた後、上紙１１、下紙１２及び支持台紙２０は押え部８３に搬送され、押え部８３において、一対のローラ間に挟まれることによって表裏から押圧され、互いに貼着される。
【００４３】
その後、カット部８１ｃにおいて、互いに貼着された連続状の上紙１１、下紙１２及び支持台紙２０が単片状に断裁される。
【００４４】
単片状に断裁されたカード組み込みユニット１は、カード台紙１０が、折り畳まれた支持台紙２０によって挟み込まれており、カード台紙１０からカード２が分離されていない状態においてＰＯＳコード４ｂを視認可能とする構成が、支持台紙２０の裏面片２２に設けられた孔部３ｂであるため、例えば、搬送等の際に、ＰＩＮコード４ａを視認不可能としておくための隠蔽ラベル等が手等に引っかかって捲れ上がってしまうことがない。
【００４５】
以下に、上述したカード組み込みユニット１の使用方法について説明する。
【００４６】
図４は、図１及び図２に示したカード組み込みユニット１が使用される環境を示す図であり、図５は、図４に示した環境における図１及び図２に示したカード組み込みユニット１の使用方法を説明するためのフローチャートである。
【００４７】
図１及び図２に示したカード組み込みユニット１は、図４に示すように、カード２を用いてサービスを提供するサービス提供サーバ７２と、通信回線７４を介してサービス提供サーバ７２と接続可能なＰＯＳ端末７１及び携帯端末７３とを有してなる環境で使用される。
【００４８】
まず、利用者がカード組み込みユニット１を購入する際、その店舗に設置されたＰＯＳ端末７１においてＰＯＳコード４ｂが読み取られる（ステップ１）。ＰＯＳコード４ｂは、上述したように、カード２がカード台紙１０から分離される前の状態において、支持台紙２０の裏面片２２に設けられた孔部３ｂを介して表出して視認可能となっているため、ＰＯＳ端末７１にて読み取ることができる。また、カード２がカード台紙１０から分離される前の状態の状態においては、ＰＩＮコード４ａは支持台紙２０によって視認不可能となっている。
【００４９】
また、カード組み込みユニット１は、表裏貫通した孔部３ａを用いて吊り下げられる等して店舗に陳列されているが、その状態においては、カード２は、支持台紙２０の表面片２１によって覆われており、表面片２１に形成されたミシン目２４を破断することによってカード組み込みユニット１が開封されなければ表出しないため、カード２がカード台紙１０から不正に分離しにくくなっている。
【００５０】
カード組み込みユニット１から読み取られたＰＯＳコード４ｂは、ＰＯＳ端末７１から送信され（ステップ２）、通信回線７４を介してサービス提供サーバ７２にて受信される（ステップ３）。
【００５１】
サービス提供サーバ７２においては、販売されているカード組み込みユニット１のカード台紙１０に表示されたＰＯＳコード４ｂとＰＩＮコード４ａとがカード組み込みユニット１毎に対応づけて管理されており、ＰＯＳコード４ｂが受信されると、受信したＰＯＳコード４ｂについて、サービスを利用可能であることを示す利用可能フラグが“１”に設定され、ＯＮ状態となる（ステップ４）。
【００５２】
その後、カード組み込みユニット１を購入した利用者によって、携帯端末７３がサービス提供サーバ７２にアクセスした状態において、カード組み込みユニット１のカード２に表示されたＰＩＮコード４ａが携帯端末７３に入力されて送信されると（ステップ５）、このＰＩＮコード４ａが通信回線７４を介してサービス提供サーバ７２にて受信される（ステップ６）。
【００５３】
図６は、図１及び図２に示したカード組み込みユニット１の使用状態を示す図である。
【００５４】
図１及び図２に示したカード組み込みユニット１においては、カード２を覆っている表面片２１にミシン目２４が形成されているため、カード組み込みユニット１を購入した利用者は、図６（ａ）に示すように、ミシン目２４を破断することにより、カード組み込みユニット１を開封し、カード２を表出させることができる。
【００５５】
また、図１及び図２に示したカード組み込みユニット１においては、カード２がスリット５によってカード台紙１０から分離可能に区画形成されているとともに、剥離ニス３０及び擬似接着剤４０によって支持台紙２０から剥離可能となっているため、カード組み込みユニット１を購入した利用者は、カード組み込みユニット１を開封してカード２が表出した後、図６（ｂ）に示すように、カード２をカード台紙１０から分離することができる。また、カード組み込みユニット１が開封されると、表面片２１のカード台紙１０との貼着面に表示された通知情報２５ａが視認可能な状態となる。
【００５６】
すると、図６（ｃ）に示すように、カード２の裏面片２２との貼着面に表示されたＰＩＮコード４ａが視認可能な状態となり、利用者はこのＰＩＮコード４ａを携帯端末７３に入力することになる。
【００５７】
また、カード２がカード台紙１０から分離されると、図６（ｄ）に示すように、裏面片２２のカード台紙１０との貼着面に表示された通知情報２５ｂが視認可能な状態となる。
【００５８】
サービス提供サーバ７２においては、携帯端末７３から送信されてきたＰＩＮコード４ａが受信されると、まず、ＰＩＮコード４ａに対応づけられたＰＯＳコードが検索される（ステップ７）。サービス提供サーバ７２においては、上述したように、販売されているカード組み込みユニット１毎に、カード台紙１０に表示されたＰＯＳコード４ｂとＰＩＮコード４ａとが対応づけて管理されているため、受信したＰＩＮコード４ａに対応づけられたＰＯＳコードを検索することができる。
【００５９】
そして、検索されたＰＯＳコードについての利用可能フラグが“１”に設定されてＯＮ状態となっているかが確認される（ステップ８）。カード組み込みユニット１が購入されると、上述したようにそのカード組み込みユニット１のカード台紙１０に表示されたＰＯＳコード４ｂがＰＯＳ端末７１にて読み取られ、サービス提供サーバ７２にてそのＰＯＳコード４ｂについての利用可能フラグが“１”に設定されてＯＮ状態となるため、検索されたＰＯＳコードについての利用可能フラグが“１”に設定されてＯＮ状態となっている場合は、カード組み込みユニット１が正規に購入されたものであることとなり、サービス提供サーバ７２から携帯端末７３にサービスが提供され（ステップ９）、利用者は携帯端末７３においてサービスを利用することになる（ステップ１０）。
【００６０】
また、検索されたＰＯＳコードについての利用可能フラグが“１”に設定されておらずにＯＮ状態となっていない場合は、カード組み込みユニット１が正規に購入されたものではないため、サービスを利用不可能である旨のメッセージがサービス提供サーバ７２から送信される（ステップ１１）。
【００６１】
サービス提供サーバ７２から送信された、サービスを利用不可能である旨のメッセージは通信回線７４を介して携帯端末７３にて受信され、表示出力される（ステップ１２）。
【００６２】
なお、上述した一連の手順はカード組込みユニット１を利用する環境の一例であり、カード組込みユニット１を利用する環境はこれに限定されるものではない。
【００６３】
（第２の実施の形態）
図７は、本発明のカード組み込みユニットの第２の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。図８は、図７に示したカード組み込みユニット１０１の分解図であり、（ａ）は上紙１１１の表面図、（ｂ）は上紙１１１の裏面図、（ｃ）は下紙１１２の表面図、（ｄ）は下紙１１２の裏面図、（ｅ）は支持台紙１２０を見開いた内側の面を示す図、（ｆ）は支持台紙１２０を見開いた外側の面を示す図である。
【００６４】
本形態のカード組み込みユニット１０１は図７及び図８に示すように、第１の実施の形態に示したものに対して、表面片１２１の折り部１２３以外の３辺に沿ってミシン目１２４が形成されているとともに、表面片１２１の上紙１１１との貼着面のうちミシン目１２４の外側となる領域に粘着剤１５０が塗布されており、表面片１２１と上紙１１１とが、ミシン目１２４の外側となる領域にて粘着剤１５０によって貼着されている点と、カード１０２の４辺のうち対向する一対の辺のみがスリット１０５となり他の一対の辺がマイクロミシン１０６となっている点が異なるものである。
【００６５】
上記のように構成されたカード組み込みユニット１０１においても、第１の実施の形態にて示したものと同様の環境下で同様にして使用されることになる。
【００６６】
図９は、図７及び図８に示したカード組み込みユニット１０１の使用状態を示す図である。
【００６７】
図７及び図８に示したカード組み込みユニット１０１においても、カード１０２を覆っている表面片１２１にミシン目１２４が形成されているため、カード組み込みユニット１０１を購入した利用者は、図９（ａ）に示すように、ミシン目１２４を破断することにより、カード組み込みユニット１０１を開封し、カード１０２を表出させることができる。
【００６８】
また、図７及び図８に示したカード組み込みユニット１０１においても、カード１０２がスリット１０５及びマイクロミシン１０６によってカード台紙１１０から分離可能に区画形成されているとともに、剥離ニス１３０及び擬似接着剤１４０によって支持台紙１２０から剥離可能となっているため、カード組み込みユニット１０１を購入した利用者は、カード組み込みユニット１０１を開封してカード１０２が表出した後、図９（ｂ）に示すように、スリット１０５の辺からマイクロミシン１０６を破断していくことによりカード１０２をカード台紙１１０から分離することができる。また、カード組み込みユニット１０１が開封されると、表面片１２１のカード台紙１１０との貼着面に表示された通知情報１２５ａが視認可能な状態となる。なお、本形態のように、カード１０２の４辺のうち対向する一対の辺のみをスリット１０５とし、他の一対の辺をマイクロミシン１０６とすることにより、カード１０２の４辺の全てがスリット１０５となっているものに比べて、カード１０２がカード台紙１１０から不用意に脱落しにくくすることができる。
【００６９】
すると、図９（ｃ）に示すように、カード１０２の裏面片１２２との貼着面に表示されたＰＩＮコード１０４ａが視認可能な状態となるとともに、図９（ｄ）に示すように、裏面片１２２のカード台紙１１０との貼着面に表示された通知情報１２５ｂが視認可能な状態となる。
【００７０】
利用者は、視認可能となったＰＩＮコード１０４ａを携帯端末７３に入力してサービス提供サーバ７２に送信することにより、サービス提供サーバ７２から提供されるサービスを利用することになる。
【００７１】
（第３の実施の形態）
図１０は、本発明のカード組み込みユニットの第３の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。図１１は、図１０に示したカード組み込みユニット２０１の分解図であり、（ａ）は上紙２１１の表面図、（ｂ）は上紙２１１の裏面図、（ｃ）は下紙２１２の表面図、（ｄ）は下紙２１２の裏面図、（ｅ）は表面片２２１の表面図、（ｆ）は表面片２２１の裏面図、（ｇ）は裏面片２２２の表面図、（ｈ）は裏面片２２２の裏面図である。
【００７２】
本形態のカード組み込みユニット２０１は図１０及び図１１に示すように、第２の実施の形態に示したものに対して、表面片２２１と裏面片２２２とが連接しておらず、また、表面片２２１にはミシン目１２４が形成されておらず、表面片２２１と上紙２１１とが、第２の実施の形態にて示したものと同一の領域にて粘着剤１５０ではなく、擬似接着剤２４０及び剥離ニス２３０によって剥離可能に貼着されている点のみが異なるものである。そのため、表面片２２１の第２の実施の形態にて示したものと同一の領域には剥離ニス２３０が塗布されており、また、上紙２１１のそれと対向する領域には擬似接着剤２４０が塗布されている。また、表面片２２１には、裏面片２２２に対向する領域にも剥離ニス２３０が塗布されており、裏面片２２２には、表面片２２１に対向する領域にも擬似接着剤２４０が塗布されている。このように、表面片２２１と上紙２１１とが、擬似接着剤２４０及び剥離ニス２３０によって剥離可能に貼着されていることにより、本形態においては、擬似接着剤２４０及び剥離ニス２３０が、カード組み込みユニット２０１を開封するための開封構造となり、これにより、表面片２２１及び上紙２１１に、カード組み込みユニット２０１を開封するための開封構造が備えられていることになる。
【００７３】
上記のように構成されたカード組み込みユニット２０１においても、第１の実施の形態にて示したものと同様の環境下で同様にして使用されることになる。
【００７４】
図１２は、図１０及び図１１に示したカード組み込みユニット２０１の使用状態を示す図である。
【００７５】
図１０及び図１１に示したカード組み込みユニット２０１においては、カード２０２を覆っている表面片２２１が、擬似接着剤２４０及び剥離ニス２３０によって上紙２１１に剥離可能に貼着されているため、カード組み込みユニット２０１を購入した利用者は、図１２（ａ）に示すように、表面片２２１を上紙２１１から剥離することにより、カード組み込みユニット２０１を開封し、カード２０２を表出させることができる。
【００７６】
また、図１０及び図１１に示したカード組み込みユニット２０１においても、カード２０２がスリット２０５によってカード台紙２１０から分離可能に区画形成されているとともに、剥離ニス２３０及び擬似接着剤２４０によって支持台紙２２０から剥離可能となっているため、カード組み込みユニット２０１を購入した利用者は、カード組み込みユニット２０１を開封してカード２０２が表出した後、図１２（ｂ）に示すように、カード２０２をカード台紙２１０から分離することができる。
【００７７】
すると、図１２（ｃ）に示すように、カード２０２の裏面片２２２との貼着面に表示されたＰＩＮコード２０４ａが視認可能な状態となるとともに、図１２（ｄ）に示すように、裏面片２２２のカード台紙２１０との貼着面に表示された通知情報２２５ｂが視認可能な状態となる。
【００７８】
利用者は、視認可能となったＰＩＮコード２０４ａを携帯端末７３に入力してサービス提供サーバ７２に送信することにより、サービス提供サーバ７２から提供されるサービスを利用することになる。
【００７９】
（第４の実施の形態）
図１３は、本発明のカード組み込みユニットの第４の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。図１４は、図１３に示したカード組み込みユニット３０１の分解図であり、（ａ）は上紙３１１の表面図、（ｂ）は上紙３１１の裏面図、（ｃ）は下紙３１２の表面図、（ｄ）は下紙３１２の裏面図、（ｅ）は支持台紙３２０を見開いた内側の面を示す図、（ｆ）は支持台紙３２０を見開いた外側の面を示す図である。
【００８０】
本形態のカード組み込みユニット３０１は図１３及び図１４に示すように、第２の実施の形態に示したものに対して、表面片３２１にミシン目１２４が形成されておらず、その代わりに裏面片３２２の折り部３２３以外の３辺に沿ってミシン目３２４が形成されているとともに、カード台紙３１０を構成する上紙３１１と下紙３１２においてもこれに対向する領域にミシン目３２４が形成されている点のみが異なるものである。本形態においては、このミシン目３２４が、カード組み込みユニット３０１を開封するための開封構造となり、これにより、裏面片３２２及びカード台紙３１０に、カード組み込みユニット３０１を開封するための開封構造が備えられていることになる。
【００８１】
上記のように構成されたカード組み込みユニット３０１においても、第１の実施の形態にて示したものと同様の環境下で同様にして使用されることになる。
【００８２】
図１５は、図１３及び図１４に示したカード組み込みユニット３０１の使用状態を示す図である。
【００８３】
図１３及び図１４に示したカード組み込みユニット３０１においては、カード３０２が分離可能に区画形成されているカード台紙３１０と、これを挟み込む支持台紙３２０のうち裏面片３２２とのそれぞれにミシン目３２４が形成されているため、カード組み込みユニット３０１を購入した利用者は、図１５（ａ）に示すように、ミシン目３２４を破断することにより、カード組み込みユニット３０１を開封することができる。
【００８４】
すると、図１５（ｂ）に示すように、カード３０２が表出する。
【００８５】
また、図１３及び図１４に示したカード組み込みユニット３０１においても、カード３０２がスリット３０５によってカード台紙３１０から分離可能に区画形成されているとともに、剥離ニス３３０及び擬似接着剤３４０によって支持台紙３２０から剥離可能となっているため、カード組み込みユニット３０１を購入した利用者は、カード組み込みユニット３０１を開封してカード３０２が表出した後、図１５（ｂ）に示すように、カード３０２をカード台紙３１０から分離することができる。また、カード組み込みユニット３０１が開封されると、表面片３２１のカード台紙３１０との貼着面に表示された通知情報３２５ａが視認可能な状態となる。
【００８６】
すると、図１５（ｃ）に示すように、カード３０２の裏面片３２２との貼着面に表示されたＰＩＮコード３０４ａが視認可能な状態となるとともに、図１５（ｄ）に示すように、裏面片３２２のカード台紙３１０との貼着面に表示された通知情報３２５ｂが視認可能な状態となる。
【００８７】
利用者は、視認可能となったＰＩＮコード３０４ａを携帯端末７３に入力してサービス提供サーバ７２に送信することにより、サービス提供サーバ７２から提供されるサービスを利用することになる。
【００８８】
（第５の実施の形態）
図１６は、本発明のカード組み込みユニットの第５の実施の形態を示す図であり、（ａ）は表面図、（ｂ）は（ａ）に示したＢ−Ｂ’断面図、（ｃ）は裏面図、（ｄ）は（ａ）に示したＡ−Ａ’断面図、（ｅ）は（ｃ）に示したＣ−Ｃ’断面図、（ｆ）は開封した状態を示す図である。また、図１７は、図１６に示したカード組み込みユニット４０１の分解図であり、（ａ）は上紙４１１の表面図、（ｂ）は上紙４１１の裏面図、（ｃ）は下紙４１２の表面図、（ｄ）は下紙４１２の裏面図、（ｅ）は支持台紙４２０を見開いた内側の面を示す図、（ｆ）は支持台紙４２０を見開いた外側の面を示す図である。
【００８９】
本形態のカード組み込みユニット４０１は図１６及び図１７に示すように、第１の実施の形態に示したものに対して、ＰＯＳコード４０４ｂがカード４０２に表示されており、支持台紙４２０のＰＯＳコード４０４ｂに対向する領域に孔部４０３ｂが設けられている点と、スリット５の代わりに一部にタイ部を具備するミシン線４０５が設けられている点と、下紙４１２のＰＯＳコード４０４ｂが表示された領域とＰＩＮコード４０４ａが表示された領域との間にも剥離ニス４３０が塗布されているとともに、支持台紙４２０のこれと対向する領域にも擬似接着剤４４０が塗布されている点が異なるものである。
【００９０】
上記のように構成されたカード組み込みユニット４０１においても、第１の実施の形態にて示したものと同様の環境下で同様にして使用されることになる。
【００９１】
図１８は、図１６及び図１７に示したカード組み込みユニット４０１の使用状態を示す図である。
【００９２】
図１６及び図１７に示したカード組み込みユニット４０１においても、カード４０２を覆っている表面片４２１にミシン目４２４が形成されているため、カード組み込みユニット４０１を購入した利用者は、図１８（ａ）に示すように、ミシン目４２４を破断することにより、カード組み込みユニット４０１を開封し、カード４０２を表出させることができる。なお、カード４０２の支持台紙４２０との貼着面に表示されたＰＯＳコード４０４ｂは、カード４０２がカード台紙４１０から分離される前の状態において、支持台紙４２０に設けられた孔部４０３ｂを介して表出して視認可能となっているため、第１の実施の形態に示したものと同様に、カード組み込みユニット４０１の購入時にＰＯＳ端末７１にて読み取ることができる。
【００９３】
また、図１６及び図１７に示したカード組み込みユニット４０１においても、カード４０２がミシン線４０５によってカード台紙４１０から分離可能に区画形成されているとともに、剥離ニス４３０及び擬似接着剤４４０によって支持台紙４２０から剥離可能となっているため、カード組み込みユニット４０１を購入した利用者は、カード組み込みユニット４０１を開封してカード４０２が表出した後、図１８（ｂ）に示すように、ミシン線４０５を破断することによりカード４０２をカード台紙４１０から分離することができる。また、カード組み込みユニット４０１が開封されると、表面片４２１のカード台紙４１０との貼着面に表示された通知情報４２５ａが視認可能な状態となる。なお、本形態のように、カード４０２をスリットではなくミシン線４０５によってカード台紙４１０から分離可能とするとともに、下紙４１２のＰＯＳコード４０４ｂが表示された領域とＰＩＮコード４０４ａが表示された領域との間に領域においても、擬似接着剤４４０と剥離ニス４３０とによってカード台紙４１０と支持台紙４２０とが剥離可能に貼着されていることにより、カード４０２がカード台紙４１０から不用意に脱落しにくくすることができる。
【００９４】
すると、図１８（ｃ）に示すように、カード４０２の裏面片４２２との貼着面に表示されたＰＩＮコード４０４ａが視認可能な状態となるとともに、図１８（ｄ）に示すように、裏面片４２２のカード台紙４１０との貼着面に表示された通知情報４２５ｂが視認可能な状態となる。
【００９５】
利用者は、視認可能となったＰＩＮコード４０４ａを携帯端末７３に入力してサービス提供サーバ７２に送信することにより、サービス提供サーバ７２から提供されるサービスを利用することになる。
【００９６】
なお、上述した実施の形態を組み合わせた構成とすることもできる。例えば、第３の実施の形態にて示したもののように、表面片２２１と上紙２１１とが剥離可能に貼着された構成において、第１、第２、第４及び第５の実施の形態にて示したものと同様に表面片２２１と裏面片２２２とが折り畳み可能に連接したものとしてもよい。そのような構成とした場合は、表面片２２１と上紙２１１とが剥離可能に貼着される領域を、第１の実施の形態にて示したものと同様に、表面片２２１の裏面片２２２と連接している辺とは反対側の端辺に沿う領域のみとしてもよい。また、第１、第２、第４及び第５の実施の形態にて示したものように、表面片２１，１２１，３２１，４２１と上紙１１，１１１，３１１，４１１とがその一部にて粘着剤５０，１５０，３５０，４５０によって貼着された構成において、第３の実施の形態にて示したものと同様に、表面片２１，１２１，３２１，４２１と裏面片２２，１２２，３２２，４２２とが連接していない構成としてもよい。そのような構成とした場合は、表面片２１，１２１，３２１，４２１が、カード台紙１０，１１０，３１０，４１０と対向しない領域において粘着剤５０，１５０，３５０，４５０によって裏面片２２，１２２，３２２，４２２と貼着されているか、この領域に隣接する領域において粘着剤５０，１５０，３５０，４５０によって上紙１１，１１１，３１１，４１１と貼着されている必要がある。
【００９７】
また、粘着剤５０，１５０，２５０，３５０，４５０を、上紙１１，１１１，２１１，３１１，４１１上にて複数のごく小さな島状に塗布することによって、表面片２１，１２１，２２１，３２１，４２１と上紙１１，１１１，２１１，３１１，４１１とを剥離可能に貼着することも考えられる。
【００９８】
また、カード台紙１０，１１０，２１０，３１０，４１０は、上紙１１，１１１，２１１，３１１，４１１と下紙１２，１１２，２１２，３１２，４１２とが粘着剤５０，１５０，２５０，３５０，４５０によって貼着された２層構造のものではなく、１層構造のものであってもよい。
【符号の説明】
【００９９】
１，１０１，２０１，３０１，４０１    カード組み込みユニット
２，１０２，２０２，３０２，４０２    カード
３ａ，３ｂ，１０３ａ，１０３ｂ，２０３ａ，２０３ｂ，３０３ａ，３０３ｂ，４０３ａ，４０３ｂ    孔部
４ａ，１０４ａ，２０４ａ，３０４ａ，４０４ａ    ＰＩＮコード
４ｂ，１０４ｂ，２０４ｂ，３０４ｂ，４０４ｂ    ＰＯＳコード
５，１０５，２０５，３０５    スリット
１０，１１０，２１０，３１０，４１０    カード台紙
１１，１１１，２１１，３１１，４１１    上紙
１２，１１２，２１２，３１２，４１２    下紙
２０，１２０，３２０，４２０    支持台紙
２１，１２１，２２１，３２１，４２１    表面片
２２，１２２，２２２，３２２，４２２    裏面片
２３，１２３，３２３，４２３    折り部
２４，１２４，２２４，３２４，４２４    ミシン目
２５ａ，２５ｂ，１２５ａ，１２５ｂ，２２５ａ，２２５ｂ，３２５ａ，３２５ｂ，４２５ａ，４２５ｂ    通知情報
３０，１３０，２３０，３３０，４３０    剥離ニス
４０，１４０，２４０，３４０，４４０    擬似接着剤
５０，１５０，２５０，３５０，４５０    粘着剤
６０ａ〜６０ｃ    ローラ
７１    ＰＯＳ端末
７２    サービス提供サーバ
７３    携帯端末
７４    通信回線
８１ａ，８１ｂ，８１ｃ    カット部
８２    折り畳み部
８３    押え部
１０６    マイクロミシン
４０５    ミシン線
【図１】
2014191565.tif 000003
【図２】
2014191565.tif 000004
【図３】
2014191565.tif 000005
【図４】
2014191565.tif 000006
【図５】
2014191565.tif 000007
【図６】
2014191565.tif 000008
【図７】
2014191565.tif 000009
【図８】
2014191565.tif 000010
【図９】
2014191565.tif 000011
【図１０】
2014191565.tif 000012
【図１１】
2014191565.tif 000013
【図１２】
2014191565.tif 000014
【図１３】
2014191565.tif 000015
【図１４】
2014191565.tif 000016
【図１５】
2014191565.tif 000017
【図１６】
2014191565.tif 000018
【図１７】
2014191565.tif 000019
【図１８】
2014191565.tif 000020